(57)【特許請求の範囲】
【請求項１】
容器本体（２）内に、複数の小巻テープ（３）が収納されると共に、該容器本体（２）の前方の開口部は、前蓋（１２）で閉塞され、容器本体（２）を把持して振り下ろす動作によって生じる遠心力により、複数の小巻テープ（３）が、前記前蓋（１２）を開放させて飛び出るように構成された投げテープ収納容器において、前記容器本体（２）内には、前壁部（３５）と、該前壁部（３５）から後方に延設された上脚部（３７）及び下脚部（３８）とを備えた仕切片（５）が収容され、前記前壁部（３５）と前蓋（１２）との間には、前記複数の小巻テープ（３）が収納される収納空間（４１）が形成され、上脚部（３７）は容器本体（２）に固定され、且つ下脚部（３８）は、振り下ろし時に、前壁部（３５）が前方で且つ上向きに傾斜できるように、容器本体（２）に固定されておらず、しかも、複数の小巻テープ（３）の基部側は、前記前壁部（３５）に固定されていることを特徴とする投げテープ収納容器。
【請求項２】
前記複数の小巻テープ（３）は、前壁部（３５）の下側に固定されている請求項１に記載の投げテープ収納容器。
【請求項３】
前記仕切片（５）の下脚部（３８）は、容器本体（２）の内面と離間している請求項１又は２に記載の投げテープ収納容器。
【発明の詳細な説明】
【０００１】
【発明の属する技術分野】
本発明は、投げテープ収納容器に係り、更に詳しくは、例えば結構式や劇場、パーティー等に限らず各種のゲーム等に用いられる複数の小巻テープを収納した容器に関する。
【０００２】
【従来の技術】
従来、この種の投げテープ収納容器として、実開平５−８１２９３号公報に記載されたものが公知である。同公報に記載の容器は、容器本体内に、複数の小巻テープが収納されると共に、該容器本体の開口部には、前蓋が設けられ、しかも該前蓋が、前記容器本体を把持しての投げ動作によって生じる遠心力により離脱可能に設けられているものである。
【０００３】
【発明が解決しようとする課題】
前記従来の投げテープ収納容器は、容器本体内の収容空間に、複数の小巻テープが収納されているだけなので、使用条件に微妙な個人差が生じていた。具体的には、使用時に使用者の頭上より高めの位置でテープが開くよう条件付の説明がされている。しかしながら、前蓋の容器本体に対する接触抵抗が強すぎると開く位置が遅くなり、床に叩きつけるような角度でテープが勢い余って飛び出す。
【０００４】
反対に、前蓋の前記抵抗が弱すぎると、振り下ろした直後にテープがすっぽり抜ける形で不用意に飛び出してしまう問題があり、小巻テープを安定した角度で遠方にうまく飛ばすには、相当の練習が必要であった。
【０００５】
また、容器本体は、材質が紙のような可撓性を有するものが多く、その製造時や輸送及び店頭で容易につぶれてしまうおそれがあった。
【０００６】
そこで、本発明は、子供から大人まで不特定多数の使用者が、小巻テープを容易に安定した角度で遠方に飛ばすことができ、演出効果を最大限に発揮できると共に、容器本体の補強も図ることができる投げテープ収納容器を提供することを課題とする。
【０００７】
【課題を解決するための手段】
本発明が前記課題を解決するために講じた技術的手段は、容器本体２内に、複数の小巻テープ３が収納されると共に、該容器本体２の前方の開口部は、前蓋１２で閉塞され、容器本体２を把持して振り下ろす動作によって生じる遠心力により、複数の小巻テープ３が、前記前蓋１２を開放させて飛び出るように構成された投げテープ収納容器において、前記容器本体２内には、前壁部３５と、該前壁部３５から後方に延設された上脚部３７及び下脚部３８とを備えた仕切片５が収容され、前記前壁部３５と前蓋１２との間には、前記複数の小巻テープ３が収納される収納空間４１が形成され、上脚部３７は容器本体２に固定され、且つ下脚部３８は、振り下ろし時に、前壁部３５が前方で且つ上向きに傾斜できるように、容器本体２に固定されておらず、しかも、複数の小巻テープ３の基部側は、前記前壁部３５に固定されていることにある。
尚、容器本体２の前方とは、小巻テープ３が飛び出す方向をいい、容器本体２の上下方向とは、容器本体２を使用すべく持った際の方向をいう。
【０００８】
そして、容器本体２を上から大きく振り下ろすと、その動作により容器本体２内の複数の小巻テープ３に遠心力が作用すると共に、仕切板５の前壁部３５は、前方で且つ上向きに傾斜することとなる。傾斜する前壁部３５に保持された小巻テープ３は、前蓋１２を開放させ容器本体２の斜め上方に飛び出し易くなり、小巻テープ３は、振り下ろし途中の所定の角度における慣性により、蜘蛛の巣状に飛び出ることになる。
【０００９】
更に、前記複数の小巻テープ３は、前壁部３５の下側に固定されているのが好ましい。かかる場合には、小巻テープ３の遠心力も利用して仕切板５の前壁部３５は、更に容易に傾斜する。
【００１０】
また、前記仕切片５の下脚部３８は、容器本体２の内面と離間しているのが好ましい。係る場合には、下脚部３８が仕切板５の前壁部３５の傾斜動作時に支障となることはない。
【００１１】
【発明の実施の形態】
以下、本発明の一実施の形態について図面を参照しながら説明する。
図１において、１は投げテープ収納容器を示す。テープ収納容器１は、直方体状の容器本体２と、該容器本体２に収容される複数の小巻テープ３と、帯状の仕切板５とから構成されている。
【００１２】
前記容器本体１は、例えば、可撓性を有する紙又は樹脂シート７から構成され、天壁８、底壁９、両側壁１０ａ，１０ｂ及び前後蓋１２，１３を備えている。尚、前記天壁８の外面には、上面を示すための表示６が施されている。前後蓋１２，１３は、容器本体２の端部の開口を閉塞するためのものである。前記容器本体２の展開した状態を図２に示す。同図に示す左側から天壁８、一方の側壁１０ａ、底壁９、他方の側壁１０ｂ及び前記天壁８に接着される糊代１５が順次連設されている。尚、１６ａ，１６ｂ，１６ｃ，１６ｄで示す２点鎖線は、折曲罫線をそれぞれ示す。
【００１３】
また、底壁９の前縁には、折曲罫線１８を介して、前記前蓋１２が延設されている。前蓋１２は、前壁部２０の両側に容器本体２の開口部に嵌め込まれる折込片２０ａ，２０ａが、それぞれ折曲罫線２１を介して延設されている。２２は、一方の折込片２０ａに折曲罫線２１ａを介して延設され且つ前壁部２０に重ね合わされる折返片である。また、２３は、折曲罫線２４を介して前壁部２０の先端に延設されたフラップである。
【００１４】
前記一方の側壁１０aの後縁には、折曲罫線２５を介して後蓋１３が延設され、該後蓋１３には、折曲罫線２４を介して折込片２７が延設されている。前記折曲罫線２４に沿って切り込み３１が形成され、該切り込み３１には、前記他方の側壁１０ｂの後縁に形成された挿入片３２が挿入されるようになっている。尚、２８は、天壁８の後縁に罫線２９を介して延設されたフラップである。３０は、底壁９の後縁に罫線２９を介して延設されたフラップである。
【００１５】
前記仕切板５は、図１及び図３に示す如く、前壁部３５と、該前壁部３５の両側に折曲罫線３６ａ，３６ｂを介して後方に屈曲された上脚部３７及び下脚部３８とからなり、側面視コの字状を呈している。また、図３に示す如く前壁部３５と下脚３８の幅Ｗ１は、同一に設定され、しかも、上脚部３７の幅Ｗ２よりも、前記前壁部３５と下脚部３８の幅Ｗ２は小さく設定されている。尚、前記上脚部３７の幅Ｗ２は、前記天壁８の幅Ｗ３と同等に設定されていると共に、前記天壁８の幅Ｗ３と底壁９との幅は同等に設定されている。
【００１６】
前記前壁部３５の長さＬ１は、両側壁１０ａ，１０ｂの長さＬ２よりも小さく設定されており、仕切板５の下脚部３８と、底壁９との間には、間隙４０が形成されている。また、前記前壁部３５の前方（前壁部３５と前蓋１２との間）には、収納空間４１が形成されている。前記上脚部３７の先端部３７ａは、前後方向に移動しないように、容器本体２側に固定されている。具体的には、図１に示す如く、前記上脚部３７の先端部３７ａは、セロテープ（登録商標）等の固定手段４２により、天壁８のフラップ２８に固定されている。前記下脚部３８は、容器本体２側に固定されていない。尚、図１は、後壁部１３が開放された状態を示す。
【００１７】
前記複数の小巻テープ３は、前記収納空間４1に収納されている。各小巻テープ３の基部端側の端部３ａは、前記仕切板５に固定されている。具体的には、仕切板５の前壁部３５の下部には、挿通孔４３が形成されており、該挿通孔４３には、各小巻テープ３の端部３ａが挿通されると共に、前壁部３５の後面にセロテープ（登録商標）等の固定手段４４で固定されている。
【００１８】
本実施の形態に係る投げテープ収容容器は、以上の構成からなり、次に、その投げテープ収容容器を使用する場合について説明する。
【００１９】
先ず、図６（イ）に示す如く、天壁３に施された表示６が上となるように、前記容器本体２の両側壁１０ａ，１０ｂを把持する。尚、両側壁１０ａ，１０ｂの把持する位置は、仕切板５の前壁部３５よりも後方位置とする。前壁部３５は、両側壁１０ａ，１０ｂの前後方向の中央よりも前方に位置するため、通常は、かかる所定位置を把持することとなる。
【００２０】
次に、図６（ロ）に示す如く、容器本体２を持ったまま、上から大きく振り下ろすと、その動作により容器本体２内の複数の小巻テープ３に遠心力が作用することとなる。小巻テープ３は、容器本体２の前方に移動しようとする。小巻テープ３は仕切板５の前壁部３５の下方側に固定されていることから、かかる前壁部３５の下方側を前方に移動させる。
【００２１】
即ち、仕切板５の下脚部３８と前壁部３５の幅は、上壁部３７の幅よりも小さく、しかも、容器本体２に固定されていない下脚部３８は、底壁９と離間しているため、仕切板５自身の遠心力によって、前壁部３５は、上部の折曲罫線３６ａを支点にして前方に揺動することは可能であるが、小巻テープ３は、仕切板５の前壁部３５の下方側に固定して連結されていることから、小巻テープ３の移動する力によっても、相乗効果により前壁部３５を前方に容易に揺動させることになる。
【００２２】
本実施の形態では、仕切板５の下脚部３８と前壁部３５の幅は、上壁部３７の幅よりも小さくしているが、下脚部３８と前壁部３５の幅は、上壁部３７の幅と同等にしても前壁部３５を前方に揺動させることは可能である。
【００２３】
前記容器本体２の振り下ろし途中において、小巻テープ３は、前蓋１２を押し出し、前壁１２は下部の折曲罫線１８を支点として前方に開放する（図４参照）。即ち、仕切板５の前壁部３５は、前方で且つ斜め上向きの状態で小巻テープ３を保持すると共に、小巻テープ３は、前蓋１２を下部の折曲罫線１８を支点にして開放し、容器本体２の収納空間４１を開放する。
【００２４】
この結果、小巻テープ３は、容器本体２の斜め上方に飛び出し易くなり、小巻テープ３は、振り下ろし途中の所定の角度における慣性により、蜘蛛の巣状に飛び出ることになる（図５及び図６（ハ）参照）。前蓋１２の容器本体２に対する接触抵抗が若干大きくても、小巻テープ３は全体が一体となって移動し易くなり、所定の振り下ろし角度で上向きに飛び出し易くなる。反対に、前蓋１２の容器本体２に対する接触抵抗が若干小さくても、仕切板５がスライドするため、その間の小巻テープ３の遠心力を吸収し、所定の振り下ろし角度において、小巻テープ３の全体が前壁１２を開放することとなり、前蓋１２の容器本体２に対する接触抵抗に若干のバラツキがあっても、小巻テープ３を飛び出させる時期が安定し極めて理想的なものとなる。
【００２５】
また、小巻テープ３は、その基部側が仕切板５に固定されていることから、使用後に飛散することなく、後片付けも迅速に行える。
【００２６】
前記容器本体２内には、仕切板５が内装されていることから、可撓性を有する両側壁１０ａ，１０を把持する際の補強の効果があることは無論、その製造時や輸送及び店頭で容易につぶれてしまうおそれはない。
【００２７】
本発明は上記の実施の形態を限定されるものではなく、例えば、図７に示す如く、仕切板５の前壁部３５は、最初（使用前）から傾斜状態に形成しても良い。かかる場合には、容器本体２の振り下ろす以前から傾斜しているため、振り下ろし時には、図７に仮想線で示す如く、更に前方に揺動することとなり、小巻テープ３は、蜘蛛の巣状に勢い良く飛び出る。
【００２８】
前記容器本体２は、直方体形状を呈していたが、その形状は、特に限定されるものではなく、例えば、図８に示すように小径の握り部備えた円筒状の容器本体２であっても良い。かかる場合には、仕切板５は、円形の前壁部３５と、帯状の上脚部３７及び下脚部３８から構成されている。また、前蓋１２は、一部を容器本体２に連結してもよいが、仮想線で示す如く完全に分離するようにしても良い。
【００２９】
その他、容器本体２は、四角筒状体、カラオケマイク型、扇子型やカップ型等のものであっても良く、任意の形状が設定可能である。
【００３０】
【発明の効果】
本発明の投げテープ収納容器は、以上のように構成したので、子供から大人まで不特定多数の使用者が、小巻テープを容易に安定した角度で遠方に飛ばすことができる。また、前記容器本体内には、仕切片が収容されているので、外装補強の効果もあり、製造時や輸送及び店頭で容易につぶれてしまうおそれはない。
【図面の簡単な説明】
【図１】本発明の第一実施の形態を示す全体の一部断面を示す側面図である。
【図２】同容器本体の展開平面図である。
【図３】仕切板の展開平面図である。
【図４】前蓋の開放状態を示す全体の断面側面図である。
【図５】小巻テープが飛び出した状態を示す全体の断面側面図である。
【図６】（イ）〜（ハ）は、本発明の投げテープ収納容器の使用例をそれぞれ示す斜視図である。
【図７】本発明の他の実施の形態を示す断面側面図である。
【図８】本発明の更に他の実施の形態を示す一部断面を含む側面図である。
【符号の説明】
２…容器本体、３…小巻テープ、５…仕切片、１２…前壁、３７…上脚部、３８…下脚部、４１…収納空間
【図１】
0003726078.tif 000002
【図２】
0003726078.tif 000003
【図３】
0003726078.tif 000004
【図４】
0003726078.tif 000005
【図５】
0003726078.tif 000006
【図６】
0003726078.tif 000007
【図７】
0003726078.tif 000008
【図８】
0003726078.tif 000009